(57)【要約】【課題】  表示画面を縦長表示状態及び横長表示状態に切替可能な構成を用いて、受信した電子メールに関連する画面を良好に表示することができる携帯電話機を提供することを目的とする。【解決手段】  電子メールの文字情報が表示部２ａに表示されているときに、表示画面が縦長表示状態から横長表示状態へ切り替えられた場合に、横長表示状態の表示画面を２つの表示領域２１，２２に分割する。受信メール表示領域２１には電子メールの文字情報を表示し、添付ファイル表示領域２２には当該電子メールに含まれている添付ファイルに基づく画像を表示する。これにより、表示画面を縦長表示状態から横長表示状態へ切り替えることによって、横長表示状態の表示画面を分割し、電子メールの文字情報を受信メール表示領域２１に表示するとともに、その電子メールに関連する画面を添付ファイル表示領域２２に良好に表示することができる。【選択図】  図５
2008192034.tif 000002
【特許請求の範囲】
【請求項１】
長方形の表示画面を備え、上記表示画面を縦長表示状態及び横長表示状態に切替可能な携帯電話機であって、
電子メールを受信するメール受信手段と、
受信した電子メールを格納するメール記憶手段と、
上記メール記憶手段から電子メールの文字情報を読み出し、縦長表示状態のときには上記表示画面の長手方向を上下方向として表示し、横長表示状態のときには上記表示画面の短手方向を上下方向として表示するメール表示制御手段と、
上記表示画面が縦長表示状態から横長表示状態へ切り替えられたときに、横長表示状態の上記表示画面を上記長手方向に並ぶ第１表示領域及び第２表示領域に分割する表示領域分割手段とを備え、
上記第１表示領域には、上記メール表示制御手段により読み出された電子メールの文字情報が表示され、上記第２表示領域には、その読み出された電子メールに関連する画面が表示されることを特徴とする携帯電話機。
【請求項２】
上記メール表示制御手段により読み出される電子メールに、添付ファイルが含まれているか否かを検出する添付ファイル検出手段と、
上記添付ファイルを検出した場合に、その添付ファイルに基づく画像を上記表示画面に表示する添付ファイル表示制御手段とを備え、
上記表示領域分割手段は、読み出した電子メールの文字情報の表示中に上記表示画面が縦長表示状態から横長表示状態へ切り替えられたときに、横長表示状態の上記表示画面を上記第１表示領域及び上記第２表示領域に分割し、
上記第２表示領域には、上記添付ファイル表示制御手段により添付ファイルに基づく画像が表示されることを特徴とする請求項１に記載の携帯電話機。
【請求項３】
上記表示領域分割手段は、上記表示画面が横長表示状態のときに読み出した電子メールから添付ファイルを検出した場合に、横長表示状態の上記表示画面を上記第１表示領域及び上記第２表示領域に分割することを特徴とする請求項２に記載の携帯電話機。
【請求項４】
上記表示領域分割手段は、上記添付ファイルが動画ファイルである場合には、横長表示状態の上記表示画面を上記第１表示領域及び上記第２表示領域に分割せず、
上記添付ファイル表示制御手段は、上記第１表示領域及び上記第２表示領域を含む上記表示画面に上記動画ファイルに基づく画像を表示することを特徴とする請求項２又は３に記載の携帯電話機。
【請求項５】
上記表示画面を上記第１表示領域及び上記第２表示領域に分割する指示を行うための分割指示手段を備え、
上記表示領域分割手段は、上記動画ファイルに基づく画像の表示中に、上記分割指示に基づいて、所定時間だけ横長表示状態の上記表示画面を上記第１表示領域及び上記第２表示領域に分割し、
上記添付ファイル表示制御手段は、上記所定時間の経過後、上記第１表示領域及び上記第２表示領域を含む上記表示画面に上記動画ファイルに基づく画像を表示することを特徴とする請求項４に記載の携帯電話機。
【請求項６】
上記表示画面が縦長表示状態のときに、上記メール表示制御手段により読み出された電子メールに対する返信を指示するメール返信指示手段と、
上記返信指示に基づいて、返信メールを作成するための返信メール画面を上記表示画面に表示する返信メール画面表示制御手段とを備え、
上記表示領域分割手段は、上記返信指示後に上記表示画面が縦長表示状態から横長表示状態へ切り替えられたときに、横長表示状態の上記表示画面を上記第１表示領域及び上記第２表示領域に分割し、
上記第２表示領域には、上記返信メール画面表示制御手段により上記返信メール画面が表示されることを特徴とする請求項１に記載の携帯電話機。
【請求項７】
上記表示領域分割手段は、上記表示画面が横長表示状態のときに上記返信指示がされた場合に、横長表示状態の上記表示画面を上記第１表示領域及び上記第２表示領域に分割することを特徴とする請求項６に記載の携帯電話機。
【請求項８】
ユーザが入力操作を行うための操作部と、
上記表示画面が横長表示状態のときに、上記操作部に対する入力操作に基づいて、上記第１表示領域に対応する処理を行う第１入力処理手段と、
上記表示画面が横長表示状態のときに、上記操作部に対する入力操作に基づいて、上記第２表示領域に対応する処理を行う第２入力処理手段と、
上記第１入力処理手段及び上記第２入力処理手段を切り替える入力処理切替手段とを備えたことを特徴とする請求項１〜７のいずれかに記載の携帯電話機。
【発明の詳細な説明】
【技術分野】
【０００１】
本発明は、携帯電話機に係り、さらに詳しくは、長方形の表示画面を縦長表示状態及び横長表示状態に切り替えて表示を行うことができる携帯電話機に関する。
【背景技術】
【０００２】
一般的に、携帯電話機には、セルラー通信を介して電子メールを送受信する機能が備えられている。受信する電子メールには、メール本文及びタイトルなどの文字情報が含まれており、それらの文字情報を表示画面に表示させることにより、電子メールの内容を確認することができる。また、電子メールには各種添付ファイルを添付することができ、静止画ファイルや動画ファイルなどの添付ファイルが添付された電子メールを受信した場合には、その添付ファイルに基づく画像を表示画面に表示させることができる。受信した電子メールに対して返信メールを送信したい場合には、返信メールを作成するための返信メール画面を読み出して表示画面に表示させ、この返信メール画面上で所望の文字情報を入力することにより、返信メールを作成することができる。
【０００３】
この種の携帯電話機として、添付ファイルが添付された電子メールを受信した場合に、表示画面を第１表示領域及び第２表示領域に分割し、受信した電子メールの文字情報を第１表示領域に表示させるとともに、その電子メールに添付されている添付ファイルに基づく画像を第２表示領域に表示させるような構成が提案されている（例えば、特許文献１）。
【特許文献１】特開２００５−７８３１５号公報
【発明の開示】
【発明が解決しようとする課題】
【０００４】
しかしながら、表示画面を分割した場合には、受信した電子メールの文字情報を表示するための領域が小さくなり、一度に表示できる文字情報が少なくなってしまうといった問題がある。受信した電子メールの内容を確認しやすくするためには、できるだけ多くの文字情報を一度に表示させることが好ましい。しかし、電子メールの文字情報が表示されているときに、添付ファイルに基づく画像を確認したい場合もあるため、そのような場合には当該画像を容易に確認できるような構成が好ましい。
【０００５】
また、受信した電子メールに対する返信メールを作成する場合には、作成中の返信メールの内容が確認しやすいように、返信メール画面をできるだけ大きくすることが好ましい。しかし、返信メールの作成中に、受信した電子メールの内容を確認したい場合もあるため、このような場合には、受信した電子メールの内容を容易に確認できるような構成が好ましい。
【０００６】
一方で、携帯電話機の中には、長方形の表示画面を備えており、その表示画面を縦長表示状態及び横長表示状態に切り替えて表示を行うことができるようになっているものがある。この種の携帯電話機では、電子メールの文字情報などが、縦長表示状態のときには表示画面の長手方向を上下方向として表示され、横長表示状態のときには表示画面の短手方向を上下方向として表示される。
【０００７】
本発明は、上記の事情に鑑みてなされたものであり、表示画面を縦長表示状態及び横長表示状態に切替可能な構成を用いて、受信した電子メールに関連する画面を良好に表示することができる携帯電話機を提供することを目的とする。また、本発明は、受信した電子メールの文字情報を良好に表示できるとともに、必要に応じて添付ファイルに基づく画像を容易に確認することができる携帯電話機を提供することを目的とする。また、本発明は、受信した電子メールに対する返信メールを良好に作成することができるとともに、必要に応じて受信した電子メールの文字情報を容易に確認することができる携帯電話機を提供することを目的とする。
【課題を解決するための手段】
【０００８】
第１の本発明による携帯電話機は、長方形の表示画面を備え、上記表示画面を縦長表示状態及び横長表示状態に切替可能な携帯電話機であって、電子メールを受信するメール受信手段と、受信した電子メールを格納するメール記憶手段と、上記メール記憶手段から電子メールの文字情報を読み出し、縦長表示状態のときには上記表示画面の長手方向を上下方向として表示し、横長表示状態のときには上記表示画面の短手方向を上下方向として表示するメール表示制御手段と、上記表示画面が縦長表示状態から横長表示状態へ切り替えられたときに、横長表示状態の上記表示画面を上記長手方向に並ぶ第１表示領域及び第２表示領域に分割する表示領域分割手段とを備え、上記第１表示領域には、上記メール表示制御手段により読み出された電子メールの文字情報が表示され、上記第２表示領域には、その読み出された電子メールに関連する画面が表示されるように構成される。
【０００９】
このような構成によれば、表示画面を縦長表示状態から横長表示状態へ切り替えることにより、横長表示状態の表示画面を第１表示領域及び第２表示領域に分割し、メール記憶手段から読み出した電子メールの文字情報を第１表示領域に表示するとともに、その電子メールに関連する画面を第２表示領域に表示することができる。したがって、表示画面を縦長表示状態から横長表示状態へ切り替えるという簡単な操作に基づいて、受信した電子メールの文字情報とともに、その電子メールに関連する画面を良好に表示することができる。
【００１０】
第２の本発明による携帯電話機は、上記構成に加えて、上記メール表示制御手段により読み出される電子メールに、添付ファイルが含まれているか否かを検出する添付ファイル検出手段と、上記添付ファイルを検出した場合に、その添付ファイルに基づく画像を上記表示画面に表示する添付ファイル表示制御手段とを備え、上記表示領域分割手段が、読み出した電子メールの文字情報の表示中に上記表示画面が縦長表示状態から横長表示状態へ切り替えられたときに、横長表示状態の上記表示画面を上記第１表示領域及び上記第２表示領域に分割し、上記第２表示領域には、上記添付ファイル表示制御手段により添付ファイルに基づく画像が表示されるように構成される。
【００１１】
このような構成によれば、メール記憶手段から読み出した電子メールの文字情報の表示中に、表示画面を縦長表示状態から横長表示状態へ切り替えることにより、横長表示状態の表示画面を第１表示領域及び第２表示領域に分割することができる。このとき、読み出した電子メールの文字情報が第１表示領域に表示されるとともに、その電子メールに添付ファイルが含まれている場合には、当該添付ファイルに基づく画像が第２表示領域に表示される。したがって、縦長表示状態及び横長表示状態のいずれにおいても受信した電子メールの文字情報を良好に表示できるとともに、必要に応じて表示画面を縦長表示状態から横長表示状態へ切り替えることにより、添付ファイルに基づく画像を容易に確認することができる。
【００１２】
第３の本発明による携帯電話機は、上記表示領域分割手段が、上記表示画面が横長表示状態のときに読み出した電子メールから添付ファイルを検出した場合に、横長表示状態の上記表示画面を上記第１表示領域及び上記第２表示領域に分割するように構成される。
【００１３】
このような構成によれば、表示画面が横長表示状態のときに読み出した電子メールから添付ファイルを検出した場合に、横長表示状態の表示画面を第１表示領域及び第２表示領域に分割し、読み出した電子メールの文字情報を第１表示領域に表示するとともに、その電子メールに含まれている添付ファイルに基づく画像を第２表示領域に表示することができる。したがって、表示画面が横長表示状態のときに添付ファイルが含まれる電子メールを読み出した場合には、表示画面を第１表示領域及び第２表示領域に自動的に分割し、読み出した電子メールの文字情報及び添付ファイルに基づく画像をいずれも良好に表示することができる。
【００１４】
第４の本発明による携帯電話機は、上記構成に加えて、上記表示領域分割手段が、上記添付ファイルが動画ファイルである場合には、横長表示状態の上記表示画面を上記第１表示領域及び上記第２表示領域に分割せず、上記添付ファイル表示制御手段が、上記第１表示領域及び上記第２表示領域を含む上記表示画面に上記動画ファイルに基づく画像を表示するように構成される。
【００１５】
このような構成によれば、メール記憶手段から読み出した電子メールに含まれている添付ファイルが動画ファイルである場合に、読み出した電子メールの文字情報を表示画面に表示させず、その動画ファイルに基づく画像を表示画面全体に表示させることができる。これにより、読み出した電子メールに含まれている添付ファイルのうち動画ファイルについては、その動画ファイルに基づく画像を表示画面全体で良好に表示することができる。
【００１６】
第５の本発明による携帯電話機は、上記構成に加えて、上記表示画面を上記第１表示領域及び上記第２表示領域に分割する指示を行うための分割指示手段を備え、上記表示領域分割手段が、上記動画ファイルに基づく画像の表示中に、上記分割指示に基づいて、所定時間だけ横長表示状態の上記表示画面を上記第１表示領域及び上記第２表示領域に分割し、上記添付ファイル表示制御手段が、上記所定時間の経過後、上記第１表示領域及び上記第２表示領域を含む上記表示画面に上記動画ファイルに基づく画像を表示するように構成される。
【００１７】
このような構成によれば、添付ファイルとしての動画ファイルに基づく画像が表示画面全体に表示されているときに分割指示を行うことにより、所定時間だけ横長表示状態の表示画面を第１表示領域及び第２表示領域に分割し、電子メールの文字情報を第１表示領域に表示するとともに、その電子メールに添付ファイルとして含まれている上記動画ファイルに基づく画像を第２表示領域に表示することができる。これにより、動画ファイルに基づく画像の表示中に、その動画ファイルが添付ファイルとして含まれている電子メールの文字情報を確認したくなった場合には、分割指示を行うことにより、その文字情報を横長表示状態の表示画面の第１表示領域に所定時間だけ表示させることができる。このとき、横長表示状態の表示画面の第２表示領域には、動画ファイルに基づく画像を引き続き表示することができるので、当該動画ファイルに基づく画像を見ながら上記文字情報を確認することができる。
【００１８】
第６の本発明による携帯電話機は、上記構成に加えて、上記表示画面が縦長表示状態のときに、上記メール表示制御手段により読み出された電子メールに対する返信を指示するメール返信指示手段と、上記返信指示に基づいて、返信メールを作成するための返信メール画面を上記表示画面に表示する返信メール画面表示制御手段とを備え、上記表示領域分割手段が、上記返信指示後に上記表示画面が縦長表示状態から横長表示状態へ切り替えられたときに、横長表示状態の上記表示画面を上記第１表示領域及び上記第２表示領域に分割し、上記第２表示領域には、上記返信メール画面表示制御手段により上記返信メール画面が表示されるように構成される。
【００１９】
このような構成によれば、メール記憶手段から読み出した電子メールに対する返信指示後に、表示画面を縦長表示状態から横長表示状態へ切り替えることにより、横長表示状態の表示画面を第１表示領域及び第２表示領域に分割することができる。このとき、読み出した電子メールの文字情報が第１表示領域に表示されるとともに、その電子メールに対する返信メール画面が第２表示領域に表示される。したがって、縦長表示状態及び横長表示状態のいずれにおいても受信した電子メールに対する返信メール画面が表示されるので、返信メールを良好に作成することができるとともに、必要に応じて表示画面を縦長表示状態から横長表示状態へ切り替えることにより、受信した電子メールの文字情報を容易に確認することができる。
【００２０】
第７の本発明による携帯電話機は、上記構成に加えて、上記表示領域分割手段が、上記表示画面が横長表示状態のときに上記返信指示がされた場合に、横長表示状態の上記表示画面を上記第１表示領域及び上記第２表示領域に分割するように構成される。
【００２１】
このような構成によれば、表示画面が横長表示状態のときに返信指示がされた場合に、横長表示状態の表示画面を第１表示領域及び第２表示領域に分割し、メール記憶手段から読み出した電子メールの文字情報を第１表示領域に表示するとともに、その電子メールに対する返信メール画面を第２表示領域に表示することができる。したがって、表示画面が横長表示状態のときに返信指示がされた場合には、表示画面を第１表示領域及び第２表示領域に自動的に分割し、読み出した電子メールの文字情報及びその電子メールに対する返信メール画面をいずれも良好に表示することができる。
【００２２】
第８の本発明による携帯電話機は、上記構成に加えて、ユーザが入力操作を行うための操作部と、上記表示画面が横長表示状態のときに、上記操作部に対する入力操作に基づいて、上記第１表示領域に対応する処理を行う第１入力処理手段と、上記表示画面が横長表示状態のときに、上記操作部に対する入力操作に基づいて、上記第２表示領域に対応する処理を行う第２入力処理手段と、上記第１入力処理手段及び上記第２入力処理手段を切り替える入力処理切替手段とを備えて構成される。
【００２３】
このような構成によれば、表示画面が横長表示状態のときに操作部の入力操作に基づいて行われる処理を、入力処理切替手段によって、第１表示領域に対応する処理と第２表示領域に対応する処理とに切り替えることができる。したがって、第１表示領域に表示された電子メールの文字情報に対応する処理と、第２表示領域に表示されたその電子メールに関連する画面に対応する処理とを、必要に応じて容易に切り替えることができる。
【発明の効果】
【００２４】
本発明によれば、表示画面を縦長表示状態から横長表示状態へ切り替えることにより、横長表示状態の表示画面を第１表示領域及び第２表示領域に分割し、メール記憶手段から読み出した電子メールの文字情報を第１表示領域に表示するとともに、その電子メールに関連する画面を第２表示領域に良好に表示することができる。
【００２５】
特に、読み出した電子メールに添付ファイルが含まれている場合には、当該添付ファイルに基づく画像が第２表示領域に表示されるので、必要に応じて表示画面を縦長表示状態から横長表示状態へ切り替えることにより、添付ファイルに基づく画像を容易に確認することができる。また、メール記憶手段から読み出した電子メールに対する返信指示後に、必要に応じて表示画面を縦長表示状態から横長表示状態へ切り替えることにより、受信した電子メールの文字情報を第１表示領域に容易に表示させて確認することができる。
【発明を実施するための最良の形態】
【００２６】
実施の形態１．
図１は、本発明の実施の形態１による携帯電話機１の一例を示した斜視図であり、筐体を展開した状態を示している。この携帯電話機１は、いわゆる折り畳み式の携帯電話機であり、それぞれ直方体形状からなる表示筐体２及び操作筐体５がヒンジ部３を介して連結され、表示筐体２及び操作筐体５の各主面を対向させた状態で折り畳むことができるようになっている。
【００２７】
表示筐体２には、折り畳んだ状態で操作筐体５に対向する主面に、表示部２ａ及び受話用レシーバ８が配置されている。表示部２ａは、長方形の表示画面を有する液晶表示器からなり、その長手方向が表示筐体２の長手方向と一致するように配置されている。受話用レシーバ８は、通話時に相手方電話機からの音声を出力するための音声出力手段であり、表示筐体２におけるヒンジ部３と反対側の端部に配置されている。
【００２８】
操作筐体５には、折り畳んだ状態で表示筐体２に対向する主面に、操作部４及び送話用マイクロホン７が配置されている。操作部４は、複数の操作キーからなる入力手段であり、ユーザは操作部４を用いて各種入力操作を行うことができる。送話用マイクロホン７は、通話時にユーザの音声を入力する音声入力手段であり、操作筐体５におけるヒンジ部３と反対側の端部に配置されている。
【００２９】
ヒンジ部３は、表示筐体２及び操作筐体５を折り畳み可能に連結している。また、表示筐体２は、ヒンジ部３に対して、表示部２ａの表示画面に垂直な回転軸（図示せず）を中心に回転可能に連結されている。これにより、表示筐体２は、表示部２ａの表示画面に水平な面内で回転可能に保持され、操作筐体５に対する傾斜角度を保った状態で回転できるようになっている。
【００３０】
図２及び図３は、図１の携帯電話機１の表示筐体２を回転させた状態を示した斜視図であり、図２は正面から見て図１の状態から時計回りに約４５°回転させた状態、図３は正面から見て図１の状態から時計回りに９０°回転させた状態を示している。
【００３１】
ユーザは、操作筐体５を把持した状態で、表示筐体２を表示部２ａの表示画面に水平な面内において９０°の角度範囲内で回転させることにより、図１に示した縦長表示状態と図３に示した横長表示状態とに切り替えることができる。図１に示した縦長表示状態における表示部２ａの表示画面には、その長手方向を上下方向として画像が表示される。一方、図３に示した横長表示状態における表示部２ａの表示画面には、その短手方向を上下方向として画像が表示される。表示部２ａの表示画面は、長辺と短辺の比が１６：９とされており、横長表示状態における表示画面の縦横比が、一般的なデジタルハイビジョン放送に用いられるアスペクト比と一致するように構成されている。
【００３２】
図４は、この携帯電話機１の電気的構成の一例を示したブロック図である。この携帯電話機１は、プロセッサからなる制御部６、並びに、この制御部６によりそれぞれ制御可能な表示部２ａ、操作部４、送話用マイクロホン７、受話用レシーバ８、スピーカ９、セルラー通信部１０、回転検出センサ１１及びメモリ１２を備えている。
【００３３】
セルラー通信部１０は、通信用アンテナ１０ａを介して無線基地局との間で電波を送受信することにより、通話音の送受信を行う。相手方電話機との間で通信状態が確立された状態では、ユーザの通話音に基づく音声信号がセルラー通信部１０から送信され、相手方電話機からの通話音に基づく音声信号がセルラー通信部１０で受信されることにより、通話音の送受信が行われる。
【００３４】
また、セルラー通信部１０は、無線基地局を介して電子メールを送受信するメール送受信手段を構成している。ここで、セルラー通信部１０が送受信する電子メールには、その電子メールの内容を表す文字情報からなるメール本文と、メール本文の見出しを表す文字情報からなるタイトルと、必要に応じて電子メールに添付され、上記メール本文及びタイトルとともに送受信される添付ファイルとが含まれる。メール本文及びタイトルは、それぞれテキストファイルからなるのに対し、添付ファイルは、静止画ファイル、動画ファイル及び音声ファイルなどの各種バイナリファイルからなる。なお、上記文字情報には、平仮名、片仮名、漢字及び英数字の他、記号や絵文字などが含まれるものとする。
【００３５】
回転検出センサ１１は、機械的又は電気的なスイッチにより構成され、ユーザによる表示筐体２の回転操作を検出することにより、ユーザに対する表示画面の配置方向を検出する方向検出手段である。メモリ１２は、ＲＡＭ(Random Access Memory)からなり、受信した電子メールのメール本文、タイトル及び添付ファイルなどを格納するメール記憶手段を構成している。
【００３６】
操作部４には、分割指示キー４ａ、メール返信指示キー４ｂ及び入力処理切替キー４ｃが含まれている。分割指示キー４ａは、表示部２ａの表示画面を複数の表示領域に分割する指示をユーザが行うための分割指示手段である。メール返信指示キー４ｂは、メモリ１２に記憶されている電子メールに対する返信をユーザが指示するメール返信指示手段である。入力処理切替キー４ｃは、操作部４に対する操作に基づいて行われる処理をユーザが切り替えるための入力処理切替手段である。
【００３７】
ただし、これらのキー４ａ〜４ｃは、操作筐体５の折り畳んだ状態で表示筐体２に対向する主面に配置された構成に限らず、操作筐体５の他の面や、表示筐体２のいずれかの面に配置された構成であってもよい。また、これらの各キー４ａ〜４ｃは、専用のキーとして操作部４に含まれるような構成に限らず、操作部４に含まれる所定の１ないし複数のキーを操作することにより、各キー４ａ〜４ｃを操作した場合と同等の作用が得られるような構成であってもよい。
【００３８】
図５は、電子メールに基づく画像を表示部２ａに表示させる際の表示例を示した図である。ユーザは、表示部２ａが縦長表示状態のときに、操作部４を用いてメモリ１２に記憶されているいずれかの電子メールを指定することにより、図５（ａ）に示すように、その電子メールのメール本文を読み出して表示画面に表示させることができる。このとき、読み出した電子メールのメール本文だけでなく、タイトルも表示画面に表示されるようになっていてもよい。
【００３９】
図５（ａ）に示すような縦長表示状態で電子メールのメール本文が表示された状態から、表示筐体２が回転されて横長表示状態へ切り替えられると、図５（ｂ）に示すように、表示画面が長手方向に並ぶ受信メール表示領域２１及び添付ファイル表示領域２２に分割される。受信メール表示領域２１には、縦長表示状態のときに表示画面に表示されていたメール本文の文字情報が引き続き表示される。受信メール表示領域２１は、表示画面の短手方向の幅と同一の幅からなり、各行に図５（ａ）に示した縦長表示状態のときと同一の文字数でメール本文の文字情報を表示させることができる。したがって、縦長表示状態から横長表示状態への切替によって、表示画面に表示されるメール本文の文字情報の相対位置がずれて見づらくなるのを防止できる。
【００４０】
また、表示中の電子メールに添付ファイルが含まれている場合には、縦長表示状態から横長表示状態への切替によって、図５（ｂ）に示すように、その添付ファイルに基づく画像が添付ファイル表示領域２２に表示される。すなわち、添付ファイル表示領域２２は、読み出された電子メールに関連する画面を表示するための領域を構成している。この例では、添付ファイルとして静止画ファイルが電子メールに添付され、その静止画ファイルに基づく静止画像が添付ファイル表示領域２２に表示されている。ただし、添付ファイルは、静止画ファイルに限らず、動画像ファイルなどの他のファイルであってもよい。
【００４１】
図６は、制御部６の一構成例を示した機能ブロック図である。制御部６は、縦横表示切替部６１、表示領域分割部６２、メール読出部６３、メール表示制御部６４、添付ファイル検出部６５、添付ファイル表示制御部６６、受信メール入力処理部６７及び添付ファイル入力処理部６８によって構成され、これらの各機能ブロックは、制御部６が実行するコンピュータプログラムにより実現される。
【００４２】
縦横表示切替部６１は、回転検出センサ１１からの検出信号に基づいて、表示部２ａの表示画面に対する表示方向を９０°変換することにより、縦長表示状態及び横長表示状態を切り替える。表示領域分割部６２は、回転検出センサ１１からの検出信号又は分割指示キー４ａの操作に基づいて、横長表示状態の表示画面を図５（ｂ）に示したような複数の表示領域２１，２２に分割する表示領域分割手段である。
【００４３】
メモリ１２に記憶されている電子メールは、メール読出部６３により読み出される。メール表示制御部６４は、読み出された電子メールに含まれるメール本文やタイトルなどの文字情報を表示部２ａに表示させるための処理を行う。ここで、縦横表示切替部６１、メール読出部６３及びメール表示制御部６４は、メモリ１２から読み出した電子メールの文字情報を、縦長表示状態のときには表示部２ａの長手方向を上下方向として表示し、横長表示状態のときには表示部２ａの短手方向を上下方向として表示するメール表示制御手段を構成している。
【００４４】
添付ファイル検出部６５は、メール読出部６３により読み出された電子メールに、添付ファイルが含まれているか否かを検出する添付ファイル検出手段である。添付ファイル検出部６５で静止画ファイルや動画ファイルなどの添付ファイルが検出された場合には、添付ファイル表示制御部６６により、その添付ファイルに基づく画像が表示部２ａの表示画面に表示される。このとき、動画ファイルのように添付ファイルに音声データが含まれている場合には、その音声データに基づく音声がスピーカ９から出力される。
【００４５】
受信メール入力処理部６７は、操作部４に対する入力操作に基づいて、受信メール表示領域２１に対応する処理を行う。例えば、ユーザが操作部４を操作して、受信メール表示領域２１に表示されているメール本文の一部の文字情報をコピーする場合などには、操作部４に対する入力操作に基づいて、受信メール入力処理部６７が受信メール表示領域２１内でカーソルを移動させる処理を行う。
【００４６】
添付ファイル入力処理部６８は、操作部４に対する入力操作に基づいて、添付ファイル表示領域２２に対応する処理を行う。例えば、添付ファイルが動画ファイルである場合などに、ユーザが操作部４を操作して実行中の動画ファイルを停止させたときには、操作部４に対する入力操作に基づいて、添付ファイル入力処理部６８が添付ファイル表示領域２２に表示されている動画像を停止させる処理を行う。
【００４７】
表示部２ａの表示画面が横長表示状態であって、図５（ｂ）に示したように表示画面が受信メール表示領域２１及び添付ファイル表示領域２２に分割されているときには、入力処理切替キー４ｃの操作に基づいて、受信メール入力処理部６７及び添付ファイル入力処理部６８が切り替えられる。すなわち、入力処理切替キー４ｃの操作回数に応じて、操作部４に対する入力操作に基づいて受信メール入力処理部６７が処理を行う状態と、添付ファイル入力処理部６８が処理を行う状態とに交互に切り替わるようになっている。
【００４８】
図７及び図８は、受信した電子メールをメモリ１２から読み出す際の制御部６による処理の一例を示したフローチャートである。メモリ１２から電子メールを読み出したときに、表示部２ａの表示画面が縦長表示状態であれば（ステップＳ１０１でＹｅｓ）、図５（ａ）に示したように、その読み出した電子メールのメール本文が表示画面全体に表示される（ステップＳ１０２）。
【００４９】
その後、表示筐体２が回転されて、表示画面が縦長表示状態から横長表示状態へ切り替えられると（ステップＳ１０３でＹｅｓ）、表示画面に対する表示方向が９０°回転されるとともに（ステップＳ１０４）、横長表示状態となった表示画面が受信メール表示領域２１及び添付ファイル表示領域２２に分割される（ステップＳ１０５）。これにより、分割された表示画面上の受信メール表示領域２１には、縦長表示状態のときとは表示方向が９０°回転された状態で、電子メールのメール本文が引き続き表示される。このとき、読み出した電子メールに添付ファイルが含まれていなければ（ステップＳ１０６でＮｏ）、添付ファイル表示領域２２に対する表示は行われない。
【００５０】
一方、読み出した電子メールに添付ファイルが含まれていれば（ステップＳ１０６でＹｅｓ）、その添付ファイルが動画ファイルであるか否かが判定される（ステップＳ１０７）。判定の結果、添付ファイルが動画ファイルではなく（ステップＳ１０７でＮｏ）、静止画ファイルなどである場合には、図５（ｂ）に示したように、分割された表示画面上の添付ファイル表示領域２２に添付ファイルに基づく画像が表示される（ステップＳ１０９）。これに対して、添付ファイルが動画ファイルである場合には（ステップＳ１０７でＹｅｓ）、分割されている表示画面上の受信メール表示領域２１及び添付ファイル表示領域２２が結合され（ステップＳ１０８）、横長表示状態の表示画面全体に動画ファイルに基づく画像が表示される（ステップＳ１０９）。
【００５１】
メモリ１２から電子メールを読み出したときに、表示部２ａの表示画面が横長表示状態である場合には（ステップＳ１０１でＮｏ）、読み出した電子メールに添付ファイルが含まれているか否かが判定される（ステップＳ１１０）。判定の結果、読み出した電子メールに添付ファイルが含まれていなければ（ステップＳ１１０でＮｏ）、読み出した電子メールのメール本文が横長表示状態の表示画面に表示される（ステップＳ１１５）。
【００５２】
一方、読み出した電子メールに添付ファイルが含まれており（ステップＳ１１０でＹｅｓ）、その添付ファイルが動画ファイルでなければ（ステップＳ１１１でＮｏ）、横長表示状態の表示画面が受信メール表示領域２１及び添付ファイル表示領域２２に分割され（ステップＳ１１２）、読み出した電子メールのメール本文が受信メール表示領域２１に表示されるとともに（ステップＳ１１３）、添付ファイルに基づく画像が添付ファイル表示領域２２に表示される（ステップＳ１１４）。これに対して、添付ファイルが動画ファイルである場合には（ステップＳ１１１でＹｅｓ）、表示画面は分割されず、動画ファイルに基づく画像が横長表示状態の表示画面全体に表示される（ステップＳ１１４）。
【００５３】
本実施の形態では、メモリ１２から読み出した電子メールの文字情報の表示中に、表示画面を縦長表示状態から横長表示状態へ切り替えるという簡単な操作により、横長表示状態の表示画面を受信メール表示領域２１及び添付ファイル表示領域２２に分割することができる。このとき、読み出した電子メールの文字情報が受信メール表示領域２１に表示されるとともに、その電子メールに添付ファイルが含まれている場合には、当該添付ファイルに基づく画像が添付ファイル表示領域２２に表示される。したがって、縦長表示状態及び横長表示状態のいずれにおいても受信した電子メールの文字情報を良好に表示できるとともに、必要に応じて表示画面を縦長表示状態から横長表示状態へ切り替えることにより、添付ファイルに基づく画像を容易に確認することができる。
【００５４】
また、表示画面が横長表示状態のときに読み出した電子メールから添付ファイルを検出した場合には、横長表示状態の表示画面を受信メール表示領域２１及び添付ファイル表示領域２２に分割し、読み出した電子メールの文字情報を受信メール表示領域２１に表示するとともに、その電子メールに含まれている添付ファイルに基づく画像を添付ファイル表示領域２２に表示することができる。したがって、表示画面が横長表示状態のときに添付ファイルが含まれる電子メールを読み出した場合には、表示画面を受信メール表示領域２１及び添付ファイル表示領域２２に自動的に分割し、読み出した電子メールの文字情報及び添付ファイルに基づく画像をいずれも良好に表示することができる。
【００５５】
また、本実施の形態では、メモリ１２から読み出した電子メールに含まれている添付ファイルが動画ファイルである場合に、読み出した電子メールの文字情報を表示画面に表示させず、その動画ファイルに基づく画像を表示画面全体に表示させることができる。これにより、読み出した電子メールに含まれている添付ファイルのうち動画ファイルについては、その動画ファイルに基づく画像を表示画面全体で良好に表示することができる。
【００５６】
図９は、横長表示状態の表示画面が分割されているときに入力処理切替キー４ｃの操作に基づいて制御部６が行う処理の一例を示したフローチャートである。この図９に示すように、横長表示状態の表示画面が受信メール表示領域２１及び添付ファイル表示領域２２に分割されているときに、入力処理切替キー４ｃが操作されることにより（ステップＳ２０１でＹｅｓ）、受信メール表示領域２１に対応する処理が選択されると（ステップＳ２０２でＹｅｓ）、操作部４に対する入力操作に基づいて受信メール入力処理部６７が処理を行うように設定される（ステップＳ２０３）。
【００５７】
一方、入力処理切替キー４ｃが操作されることにより（ステップＳ２０１でＹｅｓ）、添付ファイル表示領域２２に対応する処理が選択されると（ステップＳ２０２でＮｏ）、操作部４に対する入力操作に基づいて添付ファイル入力処理部６８が処理を行うように設定される（ステップＳ２０４）。
【００５８】
このように、本実施の形態では、表示画面が横長表示状態のときに操作部４の入力操作に基づいて行われる処理を、入力処理切替キー４ｃによって、受信メール表示領域２１に対応する処理と添付ファイル表示領域２２に対応する処理とに切り替えることができる。したがって、受信メール表示領域２１に表示された電子メールの文字情報に対応する処理と、添付ファイル表示領域２２に表示された添付ファイルに基づく画像に対応する処理とを、必要に応じて容易に切り替えることができる。
【００５９】
なお、表示部２ａの表示画面が縦長表示状態から横長表示状態へ切り替わることにより、表示画面が２つの表示領域２１，２２に分割されたときには、受信メール表示領域２１に対応する処理が自動的に選択されるものとする。
【００６０】
図１０は、横長表示状態の表示画面に動画ファイルに基づく画像が表示されているときの制御部６による処理の一例を示したフローチャートである。また、図１１は、読み出した電子メールに含まれる添付ファイルが動画ファイルである場合の表示部２ａの表示例を示した図である。ユーザは、表示部２ａが縦長表示状態のときに、操作部４を用いてメモリ１２に記憶されているいずれかの電子メールを指定することにより、図１１（ａ）に示すように、その電子メールのメール本文を読み出して表示画面に表示させることができる。
【００６１】
図１１（ａ）に示すような縦長表示状態で電子メールのメール本文が表示された状態から、表示筐体２が回転されて横長表示状態へ切り替えられた場合に、当該電子メールに含まれる添付ファイルが動画ファイルであるときには、図１１（ｂ）に示すように、その動画ファイルに基づく画像が横長表示状態の表示画面全体に表示される。この例では、添付ファイルとしての動画ファイルに、テレビ放送を録画することにより得られたテレビ画像データが含まれている場合が示されている。
【００６２】
このようにして動画ファイルに基づく画像が表示されているときに、分割指示キー４ａが操作されると（ステップＳ３０１でＹｅｓ）、図１１（ｃ）に示すように、横長表示状態の表示画面が受信メール表示領域２１及び添付ファイル表示領域２２に分割され（ステップＳ３０２）、電子メールのメール本文が受信メール表示領域２１に表示されるとともに、動画ファイルに基づく画像が添付ファイル表示領域２２に表示される。
【００６３】
その後、予め定められた所定時間が経過すると（ステップＳ３０３でＹｅｓ）、分割されている表示画面上の受信メール表示領域２１及び添付ファイル表示領域２２が結合され（ステップＳ３０４）、図１１（ｂ）に示すように、再び横長表示状態の表示画面全体に動画ファイルに基づく画像が表示される。
【００６４】
このように、本実施の形態では、添付ファイルとしての動画ファイルに基づく画像が表示画面全体に表示されているときに分割指示を行うことにより、所定時間だけ横長表示状態の表示画面を受信メール表示領域２１及び添付ファイル表示領域２２に分割し、電子メールの文字情報を受信メール表示領域２１に表示するとともに、その電子メールに添付ファイルとして含まれている上記動画ファイルに基づく画像を添付ファイル表示領域２２に表示することができる。これにより、動画ファイルに基づく画像の表示中に、その動画ファイルが添付ファイルとして含まれている電子メールの文字情報を確認したくなった場合には、分割指示を行うことにより、その文字情報を横長表示状態の表示画面の受信メール表示領域２１に所定時間だけ表示させることができる。このとき、横長表示状態の表示画面の添付ファイル表示領域２２には、動画ファイルに基づく画像を引き続き表示することができるので、当該動画ファイルに基づく画像を見ながら上記文字情報を確認することができる。
【００６５】
実施の形態２．
実施の形態１では、横長表示状態の表示画面が２つの表示領域に分割され、読み出した電子メールの文字情報が一方の表示領域に表示されるとともに、その電子メールに含まれている添付ファイルに基づく画像が他方の表示領域に表示されるような構成について説明した。これに対して、実施の形態２では、読み出した電子メールの文字情報が分割された一方の表示領域に表示され、その電子メール対する返信メールを作成するための返信メール画面が他方の表示領域に表示されるようになっている。
【００６６】
図１２は、本発明の実施の形態２による携帯電話機１の制御部６の一構成例を示した機能ブロック図である。制御部６は、実施の形態１と同様の構成からなる縦横表示切替部６１、表示領域分割部６２、メール読出部６３、メール表示制御部６４及び受信メール入力処理部６７の他、返信メール画面読出部６９、返信メール画面表示制御部７０及び返信メール入力処理部７１などによって構成され、これらの各機能ブロックは、制御部６が実行するコンピュータプログラムにより実現される。なお、実施の形態１と同様の構成については、図に同一符号を付して説明を省略することとする。
【００６７】
メモリ１２には、返信用の電子メールを作成する画面として予め定められた返信メール画面が記憶されており、ユーザによるメール返信指示キー４ｂの操作に基づいて、その返信メール画面が返信メール画面読出部６９によりメモリ１２から読み出されるようになっている。返信メール画面表示制御部７０は、読み出された返信メール画面を表示部２ａの表示画面に表示させる返信メール画面表示制御手段である。
【００６８】
返信メール入力処理部７１は、操作部４に対する入力操作に基づいて、表示画面に表示された返信メール画面に対応する処理を行う。例えば、ユーザが操作部４を操作して、返信用の電子メールの文字情報を入力した場合などには、操作部４に対する入力操作に基づいて、返信メール入力処理部７１が入力された文字情報を返信メール画面に表示させる処理を行う。
【００６９】
図１３は、実施の形態２の携帯電話機１で受信した電子メールをメモリ１２から読み出す際の制御部６による処理の一例を示したフローチャートである。また、図１４は、実施の形態２の携帯電話機１で電子メールに基づく画像を表示部２ａに表示させる際の表示例を示した図である。メモリ１２から電子メールを読み出したときに、表示部２ａの表示画面が縦長表示状態であれば（ステップＳ４０１でＹｅｓ）、図１４（ａ）に示すように、その読み出した電子メールのメール本文が表示画面全体に表示される（ステップＳ４０２）。
【００７０】
その後、メール返信指示キー４ｂが操作されることにより返信指示がされると（ステップＳ４０３でＹｅｓ）、メモリ１２から返信メール画面が読み出され、縦長表示状態の表示画面全体に返信メール画面が表示された状態に切り替わる（ステップＳ４０４）。ユーザは、この状態で操作部４を操作することにより、図１４（ｂ）に示すように、返信メールのメール本文を構成する文字情報を入力することができる。
【００７１】
返信メール作成中に、表示筐体２が回転されて、表示画面が縦長表示状態から横長表示状態へ切り替えられた場合には（ステップＳ４０５でＹｅｓ）、図１４（ｃ）に示すように、表示画面に対する表示方向が９０°回転されるとともに（ステップＳ４０６）、横長表示状態となった表示画面が受信メール表示領域２１及び返信メール画面表示領域２３に分割される（ステップＳ４０７）。これにより、分割された表示画面上の返信メール画面表示領域２３には、縦長表示状態のときとは表示方向が９０°回転された状態で、作成中の返信メールのメール本文が引き続き表示され、受信メール表示領域２１には、読み出した電子メールのメール本文が表示される。
【００７２】
返信メール画面表示領域２３は、読み出された電子メールに関連する画面を表示するための領域を構成している。ここで、返信メール画面表示領域２３は、表示画面の短手方向の幅と同一の幅からなり、各行に図１４（ｂ）に示した縦長表示状態のときと同一の文字数で返信メールの文字情報を表示させることができる。したがって、縦長表示状態から横長表示状態への切替によって、表示画面に表示される作成中の返信メールの文字情報の相対位置がずれて見づらくなるのを防止できる。
【００７３】
一方、メモリ１２から電子メールを読み出したときに、表示部２ａの表示画面が横長表示状態である場合には（ステップＳ４０１でＮｏ）、その読み出した電子メールのメール本文が表示画面に表示され（ステップＳ４０８）、その後にメール返信指示キー４ｂが操作されることにより返信指示がされれば（ステップＳ４０９でＹｅｓ）、横長表示状態の表示画面が受信メール表示領域２１及び返信メール画面表示領域２３に分割される（ステップＳ４１０）。このとき、読み出した電子メールのメール本文が受信メール表示領域２１に引き続き表示されるとともに、メモリ１２から読み出された返信メール画面が返信メール画面表示領域２３に表示されることにより（ステップＳ４１１）、ユーザは操作部４を操作して返信メールを作成することが可能になる。
【００７４】
本実施の形態では、メモリ１２から読み出した電子メールに対する返信指示後に、表示画面を縦長表示状態から横長表示状態へ切り替えることにより、横長表示状態の表示画面を受信メール表示領域２１及び返信メール画面表示領域２３に分割することができる。このとき、読み出した電子メールの文字情報が受信メール表示領域２１に表示されるとともに、その電子メールに対する返信メール画面が返信メール画面表示領域２３に表示される。したがって、縦長表示状態及び横長表示状態のいずれにおいても受信した電子メールに対する返信メール画面が表示されるので、返信メールを良好に作成することができるとともに、必要に応じて表示画面を縦長表示状態から横長表示状態へ切り替えることにより、受信した電子メールの文字情報を容易に確認することができる。
【００７５】
また、表示画面が横長表示状態のときに返信指示がされた場合に、横長表示状態の表示画面を受信メール表示領域２１及び返信メール画面表示領域２３に分割し、メモリ１２から読み出した電子メールの文字情報を受信メール表示領域２１に表示するとともに、その電子メールに対する返信メール画面を返信メール画面表示領域２３に表示することができる。したがって、表示画面が横長表示状態のときに返信指示がされた場合には、表示画面を受信メール表示領域２１及び返信メール画面表示領域２３に自動的に分割し、読み出した電子メールの文字情報及びその電子メールに対する返信メール画面をいずれも良好に表示することができる。
【００７６】
図１５は、実施の形態２の携帯電話機１で横長表示状態の表示画面が分割されているときに入力処理切替キー４ｃの操作に基づいて制御部６が行う処理の一例を示したフローチャートである。この図１５に示すように、横長表示状態の表示画面が受信メール表示領域２１及び返信メール画面表示領域２３に分割されているときに、入力処理切替キー４ｃが操作されることにより（ステップＳ５０１でＹｅｓ）、受信メール表示領域２１に対応する処理が選択されると（ステップＳ５０２でＹｅｓ）、操作部４に対する入力操作に基づいて受信メール入力処理部６７が処理を行うように設定される（ステップＳ５０３）。
【００７７】
一方、入力処理切替キー４ｃが操作されることにより（ステップＳ５０１でＹｅｓ）、返信メール画面表示領域２３に対応する処理が選択されると（ステップＳ５０２でＮｏ）、操作部４に対する入力操作に基づいて返信メール入力処理部７１が処理を行うように設定される（ステップＳ５０４）。
【００７８】
このように、本実施の形態では、表示画面が横長表示状態のときに操作部４の入力操作に基づいて行われる処理を、入力処理切替キー４ｃによって、受信メール表示領域２１に対応する処理と返信メール画面表示領域２３に対応する処理とに切り替えることができる。したがって、受信メール表示領域２１に表示された電子メールの文字情報に対応する処理と、返信メール画面表示領域２３に表示されたその電子メールに対する返信メール画面に対応する処理とを、必要に応じて容易に切り替えることができる。
【００７９】
なお、表示部２ａの表示画面が縦長表示状態から横長表示状態へ切り替わることにより、表示画面が２つの表示領域２１，２３に分割されたときには、返信メール画面表示領域２３に対応する処理が自動的に選択されるものとする。
【００８０】
以上の実施の形態では、表示筐体２が表示画面に水平な面内で回転することにより縦長表示状態及び横長表示状態が切り替わるような構成について説明したが、このような構成に限らず、他の態様によって縦長表示状態及び横長表示状態が切り替わるような構成であってもよい。
【００８１】
図１６は、操作筐体１０５に対して表示筐体１０２が回転する携帯電話機１００の第１の例を示した外観図であり、（ａ）は筐体を展開した状態、（ｂ）は筐体を閉じた状態を示している。この例の携帯電話機１００は、上記実施の形態の携帯電話機１と同様に、表示筐体１０２に表示部１０２ａ及び受話用レシーバ１０８を備え、操作筐体１０５に操作部１０４及び送話用マイクロホン１０７を備えている。
【００８２】
この携帯電話機１００において、表示筐体１０２は長方形に形成され、その長手方向の一端部がヒンジ部１０３を介して操作筐体１０５に保持されている。このヒンジ部１０３の構成は、上記実施の形態の携帯電話機１とは異なり、表示筐体１０２の短手方向に延びる軸線Ｘ１及び表示筐体１０２の長手方向に延びる軸線Ｘ２をそれぞれ中心にして、表示筐体１０２が操作筐体１０５に対して回転可能に保持されている。
【００８３】
図１７は、図１６（ａ）の状態から表示筐体１０２が軸線Ｘ１及び軸線Ｘ２を中心に回転された状態を示した斜視図である。また、図１８は、図１６（ａ）の状態から表示筐体１０２が軸線Ｘ２を中心に１８０°回転された後、軸線Ｘ１を中心に回転されて閉じられた状態を示した図である。これらの図に示すように、この携帯電話機１００では、図１６（ｂ）のように表示部１０２ａの表示画面が操作筐体１０５に対向した状態で表示筐体１０２を折り畳むこともできるし、図１７に示した態様で表示筐体１０２を軸線Ｘ１及び軸線Ｘ２を中心に回転させることにより、図１８のように表示部１０２ａの表示画面が形成されている面とは反対側の面が操作筐体１０５に対向した状態で表示筐体１０２を折り畳むこともできる。
【００８４】
このような構成を有する携帯電話機１００では、図１６（ａ）に示した状態が、表示部１０２ａの表示画面に対して長手方向を上下方向として表示する縦長表示状態となり、図１８に示した状態が、表示部１０２ａの表示画面に対して短手方向を上下方向として表示する横長表示状態となる。
【００８５】
図１９は、操作筐体２０５に対して表示筐体２０２が回転する携帯電話機２００の第２の例を示した外観図であり、筐体を展開した状態を示している。この例の携帯電話機２００は、上記実施の形態の携帯電話機１，１００と同様に、表示筐体２０２に表示部２０２ａ及び受話用レシーバ２０８を備え、操作筐体２０５に操作部２０４及び送話用マイクロホン２０７を備えている。
【００８６】
この携帯電話機２００において、表示筐体２０２は、図１６の例と同様に長方形に形成され、その長手方向の一端部がヒンジ部２０３を介して操作筐体２０５に保持されている。このヒンジ部２０３の構成は、図１６の例とは異なり、表示筐体２０２のヒンジ部２０３側の端部において表示画面に対して直交方向に延びる軸線Ｘ３を中心にして、表示筐体２０２が操作筐体２０５に対して回転可能に保持されている。
【００８７】
このような構成を有する携帯電話機２００では、図１６（ａ）に示した状態と同様の状態が、表示部２０２ａの表示画面に対して長手方向を上下方向として表示する縦長表示状態となり、この状態から表示筐体２０２を９０°回転させた図１９に示す状態が、表示部２０２ａの表示画面に対して短手方向を上下方向として表示する横長表示状態となる。
【００８８】
以上の実施の形態では、横長表示状態の表示画面の左側に受信メール表示領域２１が形成されるような構成について説明したが、このような構成に限らず、表示画面の右側に受信メール表示領域２１が形成されるような構成であってもよい。また、横長表示状態の表示画面の左側及び右側のいずれに受信メール表示領域２１を形成するかをユーザが設定できるような構成であってもよい。
【００８９】
また、以上の実施の形態では、機械的又は電気的なスイッチからなる回転検出センサ１１を用いて、ユーザによる表示筐体２の回転操作を検出するような構成について説明したが、このような構成に限らず、例えば地磁気を検出する地磁気センサなどの方向検出手段を用いて、ユーザに対する表示画面の配置方向を検出するような構成であってもよい。
【００９０】
以上の実施の形態では、携帯電話機に本発明を適用した場合について説明したが、本発明は、携帯電話機に限らず、電子メールを受信可能な種々の携帯情報端末装置に適用可能である。
【図面の簡単な説明】
【００９１】
【図１】本発明の実施の形態１による携帯電話機の一例を示した斜視図であり、筐体を展開した状態を示している。
【図２】図１の携帯電話機の表示筐体を回転させた状態を示した斜視図であり、正面から見て図１の状態から時計回りに約４５°回転させた状態を示している。
【図３】図１の携帯電話機の表示筐体を回転させた状態を示した斜視図であり、正面から見て図１の状態から時計回りに９０°回転させた状態を示している。
【図４】この携帯電話機の電気的構成の一例を示したブロック図である。
【図５】電子メールに基づく画像を表示部に表示させる際の表示例を示した図である。
【図６】制御部の一構成例を示した機能ブロック図である。
【図７】受信した電子メールをメモリから読み出す際の制御部による処理の一例を示したフローチャートである。
【図８】受信した電子メールをメモリから読み出す際の制御部による処理の一例を示したフローチャートであり、図７の続きを示している。
【図９】横長表示状態の表示画面が分割されているときに入力処理切替キーの操作に基づいて制御部が行う処理の一例を示したフローチャートである。
【図１０】横長表示状態の表示画面に動画ファイルに基づく画像が表示されているときの制御部による処理の一例を示したフローチャートである。
【図１１】読み出した電子メールに含まれる添付ファイルが動画ファイルである場合の表示部の表示例を示した図である。
【図１２】本発明の実施の形態２による携帯電話機の制御部の一構成例を示した機能ブロック図である。
【図１３】実施の形態２の携帯電話機で受信した電子メールをメモリから読み出す際の制御部による処理の一例を示したフローチャートである。
【図１４】実施の形態２の携帯電話機で電子メールに基づく画像を表示部に表示させる際の表示例を示した図である。
【図１５】実施の形態２の携帯電話機で横長表示状態の表示画面が分割されているときに入力処理切替キーの操作に基づいて制御部が行う処理の一例を示したフローチャートである。
【図１６】操作筐体に対して表示筐体が回転する携帯電話機の第１の例を示した外観図であり、（ａ）は筐体を展開した状態、（ｂ）は筐体を閉じた状態を示している。
【図１７】図１６（ａ）の状態から表示筐体が軸線Ｘ１及び軸線Ｘ２を中心に回転された状態を示した斜視図である。
【図１８】図１６（ａ）の状態から表示筐体が軸線Ｘ２を中心に１８０°回転された後、軸線Ｘ１を中心に回転されて閉じられた状態を示した図である。
【図１９】操作筐体に対して表示筐体が回転する携帯電話機の第２の例を示した外観図であり、筐体を展開した状態を示している。
【符号の説明】
【００９２】
１，１００，２００  携帯電話機
２ａ，１０２ａ，２０２ａ  表示部
４，１０４，２０４  操作部
４ａ  分割指示キー
４ｂ  メール返信指示キー
４ｃ  入力処理切替キー
１１  回転検出センサ
１２  メモリ
２１  受信メール表示領域
２２  添付ファイル表示領域
２３  返信メール画面表示領域
６１  縦横表示切替部
６２  表示領域分割部
６３  メール読出部
６４  メール表示制御部
６５  添付ファイル検出部
６６  添付ファイル表示制御部
６７  受信メール入力処理部
６８  添付ファイル入力処理部
６９  返信メール画面読出部
７０  返信メール画面表示制御部
７１  返信メール入力処理部
【図１】
2008192034.tif 000003
【図２】
2008192034.tif 000004
【図３】
2008192034.tif 000005
【図４】
2008192034.tif 000006
【図５】
2008192034.tif 000007
【図６】
2008192034.tif 000008
【図７】
2008192034.tif 000009
【図８】
2008192034.tif 000010
【図９】
2008192034.tif 000011
【図１０】
2008192034.tif 000012
【図１１】
2008192034.tif 000013
【図１２】
2008192034.tif 000014
【図１３】
2008192034.tif 000015
【図１４】
2008192034.tif 000016
【図１５】
2008192034.tif 000017
【図１６】
2008192034.tif 000018
【図１７】
2008192034.tif 000019
【図１８】
2008192034.tif 000020
【図１９】
2008192034.tif 000021